【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
人の休息期間を特定するための方法において、
前記休息期間のしきい活動レベルを設定するステップ、
動きデータを受信するステップ、
前記動きデータに第１のデータフィルタを適用するステップ、
前記動きデータの第１のデータセットを生成するステップ、
前記第１のデータセット内の最小点を決定するステップ、
前記最小点と関連付けられる最小時間を決定するステップ、
前記最小時間の後に起こる、前記第１のデータセットが前記しきい活動レベルと交差する第１の上方交点を決定するステップ、
前記第１の上方交点と関連付けられる第１の上方時間を決定するステップ、
前記第１の上方時間に対応する前記動きデータ上の第１の位置を決定するステップ、
前記動きデータが前記しきい活動レベルと交差する未処理データの上方交点を決定するステップ、
前記休息期間内の前記第１の上方時間の後に起こる、前記未処理データの上方交点と関連付けられる未処理データの上方時間を決定するステップ、
前記未処理データの上方時間を前記休息期間の上方境界として設定するステップ、
前記最小時間より前に起こる、前記第１のデータセットが前記しきい活動レベルと交差する第１の下方交点を決定するステップ、
前記第１の下方交点と関連付けられる第１の下方時間を決定するステップ、
前記第１の下方時間に対応する前記動きデータ上の第２の位置を決定するステップ、
前記動きデータが前記しきい活動レベルと交差する未処理データの下方境界を決定するステップ、
前記未処理データの下方境界と関連付けられる未処理データの下方時間を決定するステップ、
前記未処理データの下方時間を前記休息期間の下方境界として設定するステップ、並びに
前記未処理データの上方時間と前記未処理データの下方時間との時間差を計算することにより、前記休息期間の時間量を決定するステップ
を有する方法。
【請求項２】
少なくとも、前記動きデータに第２のフィルタを適用するステップ、及び
少なくとも、前記動きデータの第２のデータセットを生成するステップ
をさらに有する請求項１に記載の方法。
【請求項３】
前記第１の上方交点を決定するステップはさらに、
前記最小時間の後、及び前記第１の上方時間より前に起こる、前記第２のデータセットが前記しきい活動レベルと交差する第２の上方交点を決定するステップ、並びに
前記第１の上方交点が前記第２の上方交点の後に起こるように、前記第２の上方交点と関連付けられる第２の上方時間を決定するステップ
を有する請求項２に記載の方法。
【請求項４】
前記第１の下方交点を決定するステップはさらに、
前記最小時間より前、及び前記第１の下方時間の後に起こる、前記第２のデータセットが前記しきい活動レベルと交差する第２の下方交点を決定するステップ、並びに
前記第１の下方交点が前記第２の下方交点より前に起こるように、前記第２の下方交点と関連付けられる第２の下方時間を決定するステップ
を有する請求項２に記載の方法。
【請求項５】
前記動きデータは、複数のデータ点を有する、及び
前記複数のデータ点は、ある期間の各時期中に検出された活動量を示す、
請求項１に記載の方法。
【請求項６】
複数のサンプルが各時期中に得られ、各時期中の活動量は、夫々の時期中における前記複数のサンプルの総量である、請求項５に記載の方法。
【請求項７】
前記第１のデータフィルタは、移動ガウス窓を有する請求項１に記載の方法。
【請求項８】
前記動きデータに第２のデータフィルタを適用するステップ、
前記動きデータの第２のデータセットを生成するステップ、
前記動きデータに第３のデータフィルタを適用するステップ、
前記動きデータの第３のデータセットを生成するステップ、
前記動きデータに第４のデータフィルタを適用するステップ、
前記動きデータの第４のデータセットを生成するステップ、
前記動きデータに第５のフィルタを適用するステップ、
前記動きデータの第５のデータセットを生成すステップ
をさらに有する、請求項１に記載の方法。
【請求項９】
前記動きデータに約３６０分の長さを持つ移動ガウス窓を適用するステップ、
前記動きデータの追加のデータセットを生成するステップ、
前記追加のデータセットの少なくとも１つの極小を決定するステップ、
前記最小点が前記極小の少なくとも２つの間に置かれることを決定するステップ、及び
前記最小点が前記休息期間と関連付けられることを決定するステップ
をさらに有する請求項１に記載の方法。
【請求項１０】
少なくとも１つの動きセンサを有するウェアラブルな動きトラッカー、及び
動き解析装置
を有するシステムにおいて、
前記動き解析装置は、
前記ウェアラブルな動きトラッカーから動きデータを受信する通信回路、
前記動きデータを記憶するメモリ、及び
少なくとも１つの処理器
を有し、前記少なくとも１つの処理器は、
休息期間のしきい活動レベルを設定する、
前記動きデータに第１のデータフィルタを適用する、
前記動きデータの第１のデータセットを生成する、
前記第１のデータセット内の最小点を決定する、
前記最小点と関連付けられる最小時間を決定する、
前記最小時間の後に起こる、前記第１のデータセットが前記しきい活動レベルと交差する第１の上方交点を決定する、
前記第１の上方交点と関連付けられる第１の上方時間を決定する、
前記第１の上方時間に対応する前記動きデータ上の第１の位置を決定する、
前記動きデータが前記しきい活動レベルと交差する未処理データの上方交点を決定する、
前記休息期間内の前記第１の上方時間の後に起こる、前記未処理データの上方交点と関連付けられる未処理の上方時間を決定する、
前記未処理の上方時間を前記休息期間の上方境界として割り当てる、
前記最小時間より前に起こる、前記第１のデータセットが前記しきい活動レベルと交差する第１の下方交点を決定する、
前記第１の下方交点と関連付けられる第１の下方時間を決定する、
前記第１の下方時間に対応する前記動きデータ上の第２の位置を決定する、
前記動きデータが前記しきい活動レベルと交差する未処理データの下方境界を決定する、
前記未処理データの下方境界と関連付けられる未処理の下方時間を決定する、
前記未処理データの下方時間を前記休息期間の下方境界として割り当てる、及び
前記未処理データの上方時間と前記未処理データの下方時間との時間差を計算することにより、前記休息期間の時間量を決定する
ように構成される、システム。
【請求項１１】
前記動き解析装置の前記少なくとも１つの処理器はさらに、
前記動きデータに第２のデータフィルタを適用する、
前記動きデータの第２のデータセットを生成する、
前記動きデータに第３のデータフィルタを適用する、
前記動きデータの第３のデータセットを生成する、
前記動きデータに第４のデータフィルタを適用する、
前記動きデータの第４のデータセットを生成する、
前記動きデータに第５のデータフィルタを適用する、
前記動きデータの第５のデータセットを生成する
ように構成される、請求項１０に記載のシステム。
【請求項１２】
前記動き解析装置の前記少なくとも１つの処理器はさらに、
前記最小時間の後、及び前記第１の上方時間より前に起こる、前記第２のデータセットが前記しきい活動レベルと交差する第２の上方交点を、前記第１の上方時間が決定されるより前に決定する、
前記第２の上方交点と関連付けられる第２の上方時間を決定する、
前記第２の上方時間の後、及び前記第１の上方時間より前に起こる、前記第３のデータセットが前記しきい活動レベルと交差する第３の上方交点を決定する、
前記第３の上方交点と関連付けられる第３の上方時間を決定する、
前記第３の上方時間の後、及び前記第１の上方時間より前に起こる、前記第４のデータセットが前記しきい活動レベルと交差する第４の上方交点を決定する、
前記第４の上方交点と関連付けられる第４の上方時間を決定する、
前記第４の上方時間の後、及び前記第１の上方時間より前に起こる、前記第５のデータセットが前記しきい活動レベルと交差する第５の上方交点を決定する、並びに
前記第５の上方交点と関連付けられる第５の上方時間を決定し、前記第１の上方交点は、前記第５の上方交点と関連付けられる前記第５の上方時間に基づいて決定される、
ように構成される請求項１１に記載のシステム。
【請求項１３】
前記動き解析装置の前記少なくとも１つの処理器はさらに、
前記最小時間より前、及び前記第１の下方時間の後に起こる、前記第２のデータセットが前記しきい活動レベルと交差する第２の下方交点を、前記第１の下方時間が決定される前に決定する、
前記第２の下方交点と関連付けられる第２の下方時間を決定する、
前記第２の下方時間より前、及び前記第１の下方時間の後に起こる、前記第３のデータセットが前記しきい活動レベルと交差する第３の下方交点を決定する、
前記第３の下方交点と関連付けられる第３の下方時間を決定する、
前記第３の下方時間より前、及び前記第１の下方時間の後に起こる、前記第４のデータセットが前記しきい活動レベルと交差する第４の下方交点を決定する、
前記第４の下方交点と関連付けられる第４の下方時間を決定する、
前記第４の下方時間より前、及び前記第１の下方時間の後に起こる、前記第５のデータセットが前記しきい活動レベルと交差する第５の下方交点を決定する、並びに
前記第５の下方交点と関連付けられる第５の下方時間を決定し、前記第１の下方交点は、前記第５の下方交点と関連付けられる前記第５の下方時間に基づいて決定される、
ように構成される請求項１１に記載のシステム。
【請求項１４】
前記第１のデータフィルタは、約２０分の第１の長さを持つ第１の移動ガウス窓を有する、
前記第２のデータフィルタは、約１００分の第２の長さを持つ第２の移動ガウス窓を有する、
前記第３のデータフィルタは、約８０分の第３の長さを持つ第３の移動ガウス窓を有する、
前記第４のデータフィルタは、約６０分の第４の長さを持つ第４の移動ガウス窓を有する、及び
前記第５のデータフィルタは、約４０分の第５の長さを持つ第５の移動ガウス窓を有する、
請求項１１に記載のシステム。
【請求項１５】
ある期間内の各時期中に検出される活動量を示す動きデータを取り込む少なくとも１つの動きセンサ、
前記動きデータを記憶するメモリ、及び
少なくとも１つの処理器
を有するウェアラブルな動きトラッカーにおいて、
前記少なくとも１つの処理器は、
休息期間のしきい活動レベルを設定する、
前記動きデータに第１のデータフィルタを適用する、
前記動きデータの第１のデータセットを生成する、
前記第１のデータセット内の最小点を決定する、
前記最小点と関連付けられる最小時間を決定する、
前記最小時間の後に起こる、前記第１のデータセットが前記しきい活動レベルと交差する第１の上方交点を決定する、
前記第１の上方交点と関連付けられる第１の上方時間を決定する、
前記第１の上方時間に対応する前記動きデータ上の第１の位置を決定する、
前記動きデータが前記しきい活動レベルと交差する未処理データの上方交点を決定する、
前記休息期間内の前記第１の上方時間の後に起こる、前記未処理データの上方交点と関連付けられる未処理データの上方時間を決定する、
前記未処理データの上方時間を前記休息期間の上方境界として割り当てる、
前記最小時間より前に起こる、前記第１のデータセットが前記しきい活動レベルと交差する第１の下方交点を決定する、
前記第１の下方交点と関連付けられる第１の下方時間を決定する、
前記第１の下方時間に対応する前記動きデータ上の第２の位置を決定する、
前記動きデータが前記活動しきいレベルと交差する未処理データの下方境界を決定する、
前記未処理データの下方境界と関連付けられる未処理データの下方時間を決定する、
前記未処理データの下方時間を前記休息期間の下方境界として割り当てる、並びに
前記未処理データの上方時間と前記未処理データの下方時間との時間差を計算することにより、前記休息期間の時間量を決定する
ように構成される、ウェアラブルな動きトラッカー。